(57)【要約】  研磨シートまたはディスク等の研磨物品をサンディングツールに取り付けるための取付システムは、第１主面を有する物品を含み、第１主面は、サンディングツールの関連嵌合面に付着する取付材を有する取付領域と、使用者が研磨物品を掴持しかつ研磨物品をサンディングツールから分離することができるために十分弱い、関連嵌合面との取付けを形成する、第１主面の縁の少なくとも一部に沿った非取付領域と、を含む。
2007532329.tif 000002
【特許請求の範囲】
【請求項１】
研磨物品をサンディングツールに取り付けるための取付システムであって、第１主面を備え、該第１主面が、関連嵌合面に付着する取付材を有する取付領域と、該取付領域と該関連嵌合面との間の取付けより弱い、該関連嵌合面との取付けを形成する、該第１主面の縁の少なくとも一部に沿った非取付領域と、を有し、それにより、使用者が、該非取付領域に隣接した該研磨物品の一部を掴持し、それにより該第１主面から該研磨物品を分離することができる、取付システム。
【請求項２】
変換パッドの第１主面を備え、該変換パッドが、前記サンディングツールに係合するように構成された、前記第１主面の反対側の第２主面を有する、請求項１に記載の取付システム。
【請求項３】
前記関連嵌合面が、前記研磨物品の第１主面を含み、該研磨物品が、加工物表面を研磨する研磨材を含む、該第１主面の反対側の第２主面を有する、請求項２に記載の取付システム。
【請求項４】
前記非取付領域が、前記第１主面の全周縁にわたって延在する連続縁領域を含む、請求項３に記載の取付システム。
【請求項５】
前記取付面が、複数の機械的締結要素を備える、請求項４に記載の取付システム。
【請求項６】
前記機械的締結要素が、フックタイプ締結要素を含む、請求項５に記載の取付システム。
【請求項７】
前記第１主面が円形であり、前記非取付領域が、該第１主面の全周縁にわたって延在する環状領域を含む、請求項４に記載の取付システム。
【請求項８】
前記非取付領域が、締結要素が前記関連嵌合面に付着するのを抑制するように変更された締結要素を含む、請求項２に記載の取付システム。
【請求項９】
前記締結要素が、該締結要素が前記関連嵌合面に付着しないように屈曲されている、請求項８に記載の取付システム。
【請求項１０】
前記非取付領域が、前記締結要素が関連嵌合面に付着するのを抑制するように該締結要素に塗布されるコーティング材を含む、請求項８に記載の取付システム。
【請求項１１】
前記コーティング材が、前記締結要素の末端に塗布されるシート状の材料であり、それにより、前記締結要素を覆い、該締結要素が関連取付面に付着しないようにする、請求項１０に記載の取付システム。
【請求項１２】
前記コーティング材が、前記締結要素の周囲の開放空間を充填するように塗布される硬化可能液体であり、それにより、前記締結要素が関連取付面に付着しないようにする、請求項１０に記載の取付システム。
【請求項１３】
前記非取付領域には取付材がない、請求項２に記載の取付システム。
【請求項１４】
前記取付領域と前記非取付領域とが同一平面上にある、請求項２に記載の取付システム。
【請求項１５】
前記変換パッドと前記研磨物品とが、実質的に同じ輪郭を有し、かつ位置合せされる外縁を有する、請求項２に記載の取付システム。
【請求項１６】
前記取付材が接着剤を含む、請求項２に記載の変換パッド。
【請求項１７】
前記研磨物品の主面を備え、該研磨物品が、加工物表面を研磨する研磨材を含む、前記第１主面の反対側の第２主面を有する、請求項１に記載の取付システム。
【請求項１８】
前記関連嵌合面が、変換パッド、バックアップパッドおよびブロックサンダのうちの少なくとも１つの面を含む、請求項１７に記載の取付システム。
【請求項１９】
前記非取付領域が、前記第１主面の全周縁にわたって延在する連続縁領域を含む、請求項１７に記載の取付システム。
【請求項２０】
前記取付面が、フープタイプ締結要素を備える関連嵌合面と嵌合するように構成されたループタイプファブリック材を備える、請求項１７に記載の取付システム。
【請求項２１】
前記第１主面が円形であり、前記非取付領域が、前記第１主面の全周縁にわたって延在する環状領域を備える、請求項１７に記載の取付システム。
【請求項２２】
前記非取付領域が、前記研磨物品が前記関連嵌合面に付着するのを抑制するように変更された取付材を含む、請求項１７に記載の取付システム。
【請求項２３】
前記非取付領域が、前記取付材が前記関連嵌合面に付着するのを抑制するように該取付材に塗布されるコーティング材を含む、請求項１７に記載の取付システム。
【請求項２４】
前記コーティング材が、前記取付材にわたって塗布されるシート材であり、それにより、該取付材を覆い、かつ該取付材が前記関連取付面に付着しないようにする、請求項２３に記載の取付システム。
【請求項２５】
前記コーティング材が、前記取付材に塗布される硬化可能液体であり、それにより、前記締結要素が前記関連取付面に付着しないようにする、請求項２３に記載の取付システム。
【請求項２６】
前記非取付領域には取付材がない、請求項１７に記載の取付システム。
【請求項２７】
前記取付材が接着剤を含む、請求項１７に記載の取付システム。
【請求項２８】
研磨物品をバックアップパッドに取り付けるための変換パッドであって、第１主面と反対側の第２主面とを有するパッドを備え、該第１主面が該バックアップパッドに係合するように構成され、該第２主面が、当該変換パッドを該研磨物品に取り付ける取付材を含む取付面と、該第２面の縁領域の少なくとも一部に沿った非取付面と、を含み、それにより、使用者が、該研磨物品を掴持しかつ該研磨物品を当該変換パッドから分離することができるようにする、変換パッド。
【請求項２９】
前記非取付領域が、前記第２主面の全周縁に沿って延在する連続縁領域を備える、請求項２８に記載の変換パッド。
【請求項３０】
前記取付面が、複数の機械的締結要素を備える、請求項２８に記載の変換パッド。
【請求項３１】
前記機械的締結要素が、フックタイプ締結要素を含む、請求項３０に記載の変換パッド。
【請求項３２】
前記変換パッドが円形であり、前記非取付領域が、前記第２面の全周縁に沿って延在する環状領域を含む、請求項３１に記載の変換パッド。
【請求項３３】
前記非取付領域が、当該変換パッドが前記研磨パッドに付着するのを抑制するように変更された締結要素を含む、請求項３２に記載の変換パッド。
【請求項３４】
当該変換パッドと前記研磨物品とが、実質的に同じ輪郭を有し、かつ位置合せされた外縁を有する、請求項３３に記載の変換パッド。
【請求項３５】
変換パッドに取り付けられる研磨物品であって、第１主面と反対側の第２主面とを有する裏当てを備え、該第１主面が加工物表面を研磨する研磨材を含み、該第２主面が、当該研磨物品を該変換パッドに取り付ける取付材を含む取付面と、該第２面の縁領域の少なくとも一部に沿った非取付面と、を含み、それにより、使用者が、当該研磨物品を掴持し、それにより当該研磨物品を該変換パッドから分離することができるようにする、研磨物品。
【請求項３６】
前記取付材がループファブリック材を含む、請求項３５に記載の研磨物品。
【請求項３７】
バックアップパッドと、該バックアップパッドに接続される変換パッドと、該変換パッドに接続される研磨物品と、を含む研磨ツールであって、該変換パッドが第１主面と反対側の第２主面とを有するパッドを含み、該第１主面が、加工品表面を研磨する研磨材を含み、該第２主面が、該変換パッドを該研磨物品に取り付ける取付材を含む取付面と、該第２面の縁領域の少なくとも一部に沿った非取付面と、を含み、それにより、使用者が、該研磨物品を掴持し、それにより該研磨物品を該変換パッドから分離することができるようにする、研磨ツール。
【請求項３８】
エッジャサンダである、請求項３７に記載の研磨ツール。
【請求項３９】
前記変換パッドと前記研磨物品とが、実質的に同じ輪郭を有し、かつ位置合せされた外縁を有する、請求項３７に記載の研磨ツール。
【請求項４０】
変換パッドと研磨物品との組合せであって、該変換パッドおよび研磨物品が、取付領域を画定する嵌合面と、非取付領域を画定する非嵌合面と、を含み、該非取付領域が、該変換パッドと該研磨物品との間の隣接縁領域の少なくとも一部に沿って設けられ、それにより、使用者が、該研磨物品を掴持しかつ該研磨物品を該変換パッドから分離することができるようにする、変換パッドと研磨物品との組合せ。
【発明の詳細な説明】
【技術分野】
【０００１】
本発明は、一般にエッジャサンダまたはランダムオービットサンダ等のサンディングツールに関し、特に研磨物品を容易にサンディングツールに取り付けるかまたはそこから分離することができるようにする取付システムに関する。
【背景技術】
【０００２】
堅木の床をサンディングしかつ／または再仕上げするために、通常、サンディングマシンおよび電動工具が使用される。エッジャサンダは、床の周辺領域、もしくはドラムまたはベルトタイプのサンダ等、大きめのサンディングマシンではサンディングすることができない床の他の任意の領域をサンディングするために使用される電動工具である。
【特許文献１】米国特許第２，７１７，４３７号明細書
【特許文献２】米国特許第３，００９，２３５号明細書
【特許文献３】米国特許第４，８４６，８１５号明細書
【特許文献４】米国特許第２，４９９，８９８号明細書
【特許文献５】米国特許第３，１９２，５８９号明細書
【特許文献６】米国特許第３，２６６，１１３号明細書
【特許文献７】米国特許第３，４０８，７０５号明細書
【特許文献８】米国特許第５，０９７，５７０号明細書
【特許文献９】米国特許第３，８９９，８０５号明細書
【特許文献１０】米国特許第４，８７５，２５９号明細書
【特許文献１１】米国特許第５，０７１，３６３号明細書
【特許文献１２】米国特許第５，０８８，１６４号明細書
【特許文献１３】米国特許第５，１１３，５５５号明細書
【特許文献１４】米国特許第５，２０１，１０１号明細書
【特許文献１５】米国特許第４，５８１，７９２号明細書
【発明の開示】
【発明が解決しようとする課題】
【０００３】
エッジャサンダは、研磨シートまたはディスク等の研磨物品を使用して、床にウレタン等のコーティングを塗布する前にすべてのタイプの木の床に対しコーティングをはがし、水平にし、かつ傷を平滑化する。研磨シートおよびディスクは、多種多様のサイズ、形状および研磨粒径（粒度と呼ぶ）のものが入手可能である。「シート商品」の形態の研磨物品、すなわち研磨シートおよびディスクを使用する場合、研磨物品をエッジャサンダに据え付けるまたは取り付けるために、バックアップパッドが使用されることが多い。従来、研磨ディスクは、エッジャサンダのバックアップパッドに、手でまたはレンチを使用してボルト締めされていた。しかしながら、かかる取付システムでは、研磨ディスクの交換が不必要に面倒かつ時間がかかるものとなっていた。
【０００４】
より最近では、研磨ディスクをより容易にバックアップパッドに取り付けかつバックアップパッドから取り外すことができるように、フックループ取付システムが提供された。しかしながら、従来のバックアップパッドは、通常、フックまたはループタイプの取付システムに適した嵌合面を提供しない面を有する。したがって、フックループ取付システムを有する研磨物品を、バックアップパッドに直接取り付けることはできず、かかる研磨物品には、フックループタイプ取付システムのための取付面を提供するように変更された面を有するバックアップパッドが必要である。これは、通常、バックアップパッドに、研磨物品のフックループ取付面のための嵌合面を提供するためにバックアップパッドの面に取り付けられる変換パッドを用いて達成される。
【０００５】
しかしながら、研磨物品と、バックアップパッドまたは変換パッドの取付面と、の間の指でつまむ空間が限られているため、研磨物品を取り外すことが困難である可能性がある。さらに、サンディング操作により、フックループ取付けが積極的にかみ合う傾向があり、分離がより困難となる。
【課題を解決するための手段】
【０００６】
結果として、研磨物品を迅速かつ容易にバックアップパッドに取り付けかつバックアップパッドから取り除くことができるようにする取付システムが必要とされている。特に、変換パッドであって、研磨物品を迅速かつ容易に変換パッドに取り付けかつ変換パッドから取り除くことができるようにする変換パッドが必要とされている。
【０００７】
また、変換パッドであって、研磨物品を迅速かつ容易にその変換パッドから取り外すことができるようにする変換パッドであり、研磨物品の全表面領域に対し均一に支持し、それにより加工物表面をサンディングするための一貫しかつ均一な研磨面を提供する、変換パッドを提供することも望ましい。また、変換パッドであって、研磨物品を迅速かつ容易にその変換パッドから取り外すことができるようにする変換パッドであり、研磨物品が縁に隣接する加工物表面をサンディングすることができるようにする変換パッドを提供することも望ましい。
【０００８】
本発明は、研磨シートまたはディスク等の研磨物品をサンディングツールに取り付け、研磨物品をサンディングツールから迅速かつ容易に取り外すことができるようにする、取付システムを提供することにより、本技術分野における上述した限界を克服する。取付システムは、第１主面を有し、第１主面は、関連嵌合面に付着する取付材を有する取付領域と、取付領域と関連嵌合面との間の接続より弱い、関連嵌合面との取付けを形成する第１主面の縁の少なくとも一部に沿った非取付領域と、を含む。すなわち、非取付領域を関連嵌合面から分離するために必要な力は、取付領域を関連嵌合面から分離するために必要な力より小さい。非取付領域と関連嵌合面との間の接続は、使用者が研磨物品を非取付領域に隣接した領域において手で掴持して研磨物品をサンディングツールから分離することができるために、十分弱いことが好ましい。
【０００９】
一実施形態では、取付システムは、変換パッドの第１主面を備え、変換パッドは、サンディングツールに係合するように構成された、第１主面の反対側の第２主面を有する。関連嵌合面は、研磨物品の第１主面を含んでもよく、研磨物品は、加工物表面を研磨する、第１主面の反対側の研磨第２主面を含む。
【００１０】
特定の実施形態では、本発明は、研磨物品をバックアップパッドに取り付けるための変換パッドを提供する。変換パッドは、第１主面と反対側の第２主面とを有するパッドを含み、第１主面は、バックアップパッドに係合するように構成され、第２主面は、変換パッドを研磨物品に取り付ける取付材を含む取付面を含む。非取付面は、第２面の縁領域の少なくとも一部に沿って延在し、それにより、使用者は、研磨物品を掴持し、かつ研磨物品を変換パッドから分離することができる。
【００１１】
代替実施形態では、本発明は、変換パッドに取り付けられる研磨物品を提供する。研磨物品は、第１主面と反対側の第２主面とを有するシートを備える。第１主面は、加工物表面を研磨する研磨材を含み、第２主面は、研磨物品を変換パッドに取り付ける取付材を含む取付面と、第２面の縁領域の少なくとも一部に沿った非取付面と、を含み、それによって、使用者は、研磨物品を掴持し、それにより研磨物品を変換パッドから分離することができる。
【００１２】
別の特定の実施形態では、本発明は、バックアップパッドと、バックアップパッドに接続される変換パッドと、変換パッドに接続される研磨物品と、を含む、エッジャサンダ等の研磨ツールを提供し、変換パッドは、第１主面と反対側の第２主面とを有するパッドを含み、第１主面は、加工物表面を研磨する研磨材を含み、第２主面は、変換パッドを研磨物品に取り付ける取付材を含む取付面と、第２面の縁領域の少なくとも一部に沿った非取付面と、を有し、それにより使用者は、研磨物品を掴持し、かつ研磨物品を変換パッドから分離することができる。
【００１３】
別の実施形態では、本発明は、変換パッドと研磨物品との組合せを提供し、変換パッドおよび研磨物品は、取付領域を画定する嵌合面と、非取付領域を画定する非嵌合面と、を含む。非取付領域は、変換パッドと研磨物品との間の隣接する縁領域の少なくとも一部に沿って設けられ、それにより、使用者は、研磨物品を掴持し、かつ研磨物品を変換パッドから分離することができる。
【００１４】
特定の態様では、非取付領域は、第１主面の全周縁にわたって延在する連続縁領域を含む。別の態様では、取付面は、複数の機械的締結要素を備える。より特定の態様では、機械的締結要素は、フックタイプ締結要素を含む。
【００１５】
別の態様では、バックアップパッド、変換パッドまたは研磨物品の第１主面は円形であり、非取付領域は、第１主面の全周縁にわたって延在する環状領域を含む。
【００１６】
本発明の別の態様では、非取付領域は、締結要素が関連嵌合面に付着するのを抑制するように変更された締結要素を含む。本発明のさまざまな態様では、締結要素は、締結要素が関連嵌合面に付着しないように、取り除かれ、屈曲され、破砕され、溶解され、または他の方法で変更されている。本発明の別の実施形態では、取付材は接着剤を含む。
【００１７】
本発明のさらに別の態様では、非取付領域は、締結要素が関連嵌合面に付着するのを抑制するように締結要素に塗布されるコーティング材を含む。コーティングは、締結要素の末端に塗布されるシート状の材料であってもよく、それにより、締結要素を覆い、締結要素が関連取付面に付着しないようにし、または締結要素の周囲の開放空間を充填するように塗布された硬化可能液体であってもよく、それにより、締結要素が関連取付面に付着しないようにする。非取付領域にはまた、取付材がなくてもよい。
【００１８】
特定の態様では、取付領域と非取付領域とは同一平面上にあることにより、一様の研磨面を提供する。変換パッドおよび研磨物品もまた実質的同じ輪郭を有し、かつ位置合せされた外縁を有してもよい。
【００１９】
別の実施形態では、取付システムは、研磨物品の主面を備え、研磨物品は、加工物表面を研磨する研磨材を含む、その第１主面の反対側の第２主面を有する。
【００２０】
さまざまな態様において、関連嵌合面は、変換パッド、バックアップパッド、研磨物品およびブロックサンダのうちの少なくとも１つの面を含む。特定の態様では、取付面は、フープタイプ締結要素を供える関連嵌合面と嵌合するように構成されたループタイプファブリック材を備える。
【００２１】
本発明は、いかなる特定のタイプのサンディングツールにも限定されず、エッジャサンダおよびオービタルサンダ等の電動サンディングツールおよび手動ブロックサンダを含んでもよい。それは、特に、堅木の床が壁に当接する場所等、加工物表面の縁領域をサンディングするために使用されるサンディングツールに適用可能である。それは、研磨物品が当接面に隣接する加工物表面を、当接面に損傷を与えることなく研磨するのを可能にするためである。
【００２２】
本発明のいくつかの実施形態の利点は、使用者が研磨物品を交換することができるように、研磨物品を容易に変換パッドから分離することができるということである。本発明のいくつかの実施形態の別の利点は、研磨物品が変換パッドによって均一に支持され、それにより加工物表面を研磨するための一貫しかつ均一な研磨面が提供される、ということである。いくつかの実施形態のさらに別の利点は、研磨物品および変換パッドの縁が位置合せされることにより、堅木の床等の加工物表面を、壁等の当接面に直接隣接してサンディングすることが可能になる。
【００２３】
本発明を、添付図面を参照してさらに説明する。
【発明を実施するための最良の形態】
【００２４】
ここで、それぞれの図を通して同様の参照数字が同様のまたは対応する部分を示す図面を参照すると、図１は、研磨物品４をサンディングツール（図示せず）に取り付けるためのアセンブリ２を示す。アセンブリ２は、バックアップパッド６と、ボルト１０でバックアップパッドに固定される変換パッド８と、上述したように変換パッド８に取り付けられる、研磨シートまたはディスク等の研磨物品４と、を含む。
【００２５】
バックアップパッド６は、係合面１２を有し、それに対して変換パッド８が配置される。ボルト１０は、変換パッド８を係合面１２に対して固定する。ボルトはまた、変換パッド８をバックアップパッド６から取り外し、かつ必要な場合に、定期的に交換するのも可能にする。接着剤等の他の固定手段を使用して、変換パッド８をバックアップパッド６に取り付けてもよい、ということが理解されよう。バックアップパッド６は、一般に、多種多様のバックアップパッドを表すように示され、その構造に対して特定のサイズ、形状または材料を有するバックアップパッドに限定されない。
【００２６】
変換パッド８は、バックアップパッド６に固定されることにより、バックアップパッド６を、本来変換パッド８の係合面１２に取り付けることができなかった取付システムを有する研磨物品４と使用することができるようにする。
【００２７】
ここで図１および図２を参照すると、変換パッド８は、研磨物品４に付着する第１主面１４と、バックアップパッド６の係合面１２に係合する、反対側の第２主面１６とを有する。第１主面１４は、複数のフックタイプの締結要素２６を含む。変換パッド８は、係合面１２に固定されると、バックアップパッド６に対し、研磨物品４をバックアップパッド６に取り付けるために使用することができる新たな嵌合面、すなわち面１４を提供する。
【００２８】
変換パッド８は、変換パッド８の構造的完全性および耐久性を向上させるのに役立つ裏当て１５を含む。裏当ては、たとえば、一層のホットメルト接着剤１７で変換パッド８に接着接合される一層のバルカンファイバボードであってもよい。
【００２９】
研磨物品４は、変換パッド８の第１主面１４と係合する関連嵌合面２８を含む第１主面２８と、第１主面の反対側の、堅木の床（図示せず）等の加工物表面を研磨するための研磨第２主面２１と、を含む。研磨物品４および変換パッド８は、サイズおよび形状が実質的に同じであり、それらの外周縁部が位置合せされるように輪郭が一致することが好ましい。このように、変換パッド８は、研磨物品の、別の面に当接する加工物表面の縁に沿ってサンディングすることができる能力を妨げない。すなわち、変換パッド８の外縁と研磨物品４の外縁とを位置合せすることにより、研磨物品４は、壁等の当接面に直接隣接する領域を、壁に損傷を与えることなく有効にサンディングすることができる。
【００３０】
本発明の特色となる特徴によれば、変換パッド８の第１主面１４は、内部取付領域２０と周辺非取付領域２２とを備えた取付システム１８を含む。取付領域２０は、研磨物品４を変換パッド８と取外し可能に接続する取付材２４を含む。研磨物品４と変換パッド８との間の接続は、研磨物品４を変換パッド８に確実に取り付けるべきであり、かつ使用中、研磨物品４と変換パッド８とが相対移動しないようにすべきであるが、研磨物品４を比較的小さい力で変換パッド８から取り外すことができるようにすべきである。
【００３１】
図示する実施形態では、取付材２４は、研磨物品４の関連嵌合面２８に解放可能に係合する複数の外側に突出する締結要素２６を含む。関連嵌合面２８は、締結要素２６に解放可能に係合し、それにより研磨物品４を変換パッド８に取り付けるループを有する、編みループ、縦編みループファブリック、縫いループファブリックまたは織りループファブリックであってもよい、ループファブリック２９を含む。
【００３２】
取付材２４および関連嵌合面２８は、ループタイプの嵌合材と嵌合するフックタイプの締結要素、複数の相互かみ合い部分を有する自己嵌合式異形押出しファスナ、またはマッシュルーム形状のファスナ要素等の相互係合要素またはファスナ、もしくは他の既知のファスナを含む種々の適当なメカニカルファスナを含んでもよい。
【００３３】
締結要素２６が自己嵌合式である、すなわち同一であるかまたは実質的に類似する構造を有する他の嵌合要素と相互連結して係合することができる場合、研磨物品４の関連嵌合面２８には、変換パッド８の第１主面１４と同じ締結要素が設けられる。締結要素２６は、再締結可能である、すなわち、一旦締結要素が嵌合面と接続されても、それが同じ嵌合面または別の嵌合面と再度接続することができなくなるようにすることなく、引き離すことができることが好ましい。
【００３４】
適当なファスナは、種々の形態をとってもよい。１つの例示的なタイプには、米国特許第２，７１７，４３７号明細書（デメストラル（ｄｅ  Ｍｅｓｔｒａｌ））に記載されているフックフックファスナ、米国特許第３，００９，２３５号明細書（デメストラル（ｄｅ  Ｍｅｓｔｒａｌ））に記載されているフックループファスナ、および米国特許第４，８４６，８１５号明細書（スクリップス（Ｓｃｒｉｐｐｓ））にさらに記載されている頭付きステムまたはマッシュルームループファスナがある。
【００３５】
多数の係合要素を使用する別のグループのファスナは、主に、ステムとステム先端における拡大部分すなわち頭部とを含む中実突起を有するものである。拡張部分すなわち頭部は、多種多様の形状を有することができる。通常、これらのファスナは自己嵌合式であり、頭部は、頭部間の空間より直径または断面が大きい。このタイプのファスナについて述べている例示的な特許には、たとえば米国特許第２，４９９，８９８号明細書（アンダーソン（Ａｎｄｅｒｓｏｎ））、米国特許第３，１９２，５８９号明細書（ピアソン（Ｐｅａｒｓｏｎ））、米国特許第３，２６６，１１３号明細書（フラナガン，Ｊｒ（Ｆｌａｎａｇａｎ，Ｊｒ．）、米国特許第３，４０８，７０５号明細書（カイザー（Ｋａｙｓｅｒ）ら）および米国特許第５，０９７，５７０号明細書（ガーシェンソン（Ｇｅｒｓｈｅｎｓｏｎ））がある。
【００３６】
米国特許第３，８９９，８０５号明細書（マクミラン（ＭｃＭｉｌｌａｎ））は、頭付き中空突起を使用することについて教示している。このタイプのファスナは、上に断面積が縮小した部分または制限されたポケットがある台にかつ／またはステムの撓曲により台に嵌入する拡張部分を含む。このタイプのファスナの結合は、通常、ファスナが着座する際に単一または二重スナップと関連する。
【００３７】
多数の相互にかみ合う中実突起を有する別のタイプのファスナは、米国特許第４，８７５，２５９号明細書（アペルドーン（Ａｐｐｅｌｄｏｒｎ））に述べられている。このタイプのファスナでは、突起の先端は拡大しておらず頭付きでもない。相互にかみ合う突起の接触面の間にもたらされる摩擦力により接合が形成される。ここでそれら接触面は、光学的に平滑な平面である。このグループにおけるファスナのさらなる例は、米国特許第５，０７１，３６３号明細書（レイレック（Ｒｅｙｌｅｋ）ら）、米国特許第５，０８８，１６４号明細書（ウィルソン（Ｗｉｌｓｏｎ）ら）、米国特許第５，１１３，５５５号明細書（ウィルソン（Ｗｉｌｓｏｎ）ら）および米国特許第５，２０１，１０１号明細書（ラウザー（Ｒｏｕｓｅｒ）ら）に見ることができる。ウェブを貫通しウェブの一方の側から他方の側までの列において互い違いになる突起に基づくファスナは、米国特許第４，５８１，７９２号明細書（スピアー（Ｓｐｉｅｒ））に開示されている。このファスナは、くぼみに突起を係合させて解放可能な摩擦嵌合を形成することによって機能する。
【００３８】
図１および図２に示す実施形態では、非取付領域２２は、第２主面１４の全周縁に外接する環状領域を含む。この構成により、使用者が取外し手続き中に研磨物品４の取り付けられない部分の特定の位置を見つける必要がなくなる。代りに、使用者は、変換パッド８の円周全体に沿った任意の位置で摩擦物品４を掴持することができる。
【００３９】
しかしながら、非取付領域２２は、第１主面１４の縁部分を含み、使用者が、研磨物品４を掴持し、かつ研磨品４を変換パッド８の第１主面１４から容易に分離することができるようにする説明した機能を提供する限り、種々の形状およびサイズを含んでもよい。
【００４０】
図３ａおよび図３ｂは、非取付領域２２の２つのあり得る代替構成を示す。図３ａにおいて、非取付領域２２は、変換パッド８の円周の長さに沿って延在する弧と、弧の両端の間に延在する線と、によって画定される半円形領域を含む。締結要素２６は、取付領域２０を含む面１４の残りの部分に設けられる。このように配置されると、研磨物品が変換パッド８に取り付けられた時、非取付領域２２に隣接して配置された研磨物品の部分は、使用者が変換パッド８から研磨物品を分離し取り外すために手で掴持し引くことができるプルタブまたはフラップを形成する。図３ｂでは、非取付領域２２は、第１主面１４のパイ形状（ｐｉｅ−ｓｈａｐｅｄ）スライスを含む。残りの取付領域２０に締結要素２６が設けられる。本発明の範囲内にある取付領域２０および非取付領域２２の他のパターンまたは構成は、当業者には明らかとなろう。
【００４１】
非取付領域２２を、複数の方法で形成してもよい。たとえば、変換パッド８の第１主面１４（取付領域２０および非取付領域２２の両方を含む）に締結要素２６が設けられる場合、締結要素２６自体の構造を、関連嵌合面２８に付着するそれらの能力を抑制するように、除去し、破砕し、屈曲させ、溶解し、または他の方法で変形させることにより、非取付領域２２の締結要素２６を変更することによって、非取付領域２２を形成してもよい。
【００４２】
図４ａおよび図４ｂに示すように、非取付領域２２を、締結要素２６が関連嵌合面２８に付着しないように、締結要素２６をシート材３０で覆うことによって形成してもよい。シート材３０は、たとえば、締結要素２６の末端３２に接着取付けされる接着面を含むシート状の重合体材料であってもよい。
【００４３】
図５ａおよび図５ｂは別の実施形態を示し、そこでは、非取付領域２２は、締結要素２６をエポキシ等の硬化可能な液体３４でコーティングすることによって形成される。液体３４は、締結要素２６の周囲の開放空間を、締結要素２６のフック部分の高さまで充填し、それにより、締結要素２６が関連嵌合面２８に付着しないようにする。
【００４４】
非取付領域２２を、単純にいかなる締結要素２６もなしに非取付領域２２を形成することによって作成してもよい。しかしながら、この技法により、研磨物品のための支持面が平坦でなくなる可能性があり、それにより、研磨物品のサンディング性能が低下する結果となる可能性がある。このため、非取付領域２２を、取付領域２０と同じ高さであるように確立することが望ましい場合もあり、それにより、取付領域と非取付領域とが本質的に同一平面上にあるようになる。図６ａおよび図６ｂに示すように、これを、非取付領域２２にリップまたはうね３６を設けることによって達成することができる。図示するように、リップ３６は、一片の圧縮性弾性発泡体を第１主面１４の非取付領域２２に取り付けることによって形成される。別法として、リップ３６を、変換パッド８の一部として一体的に成形してもよい。
【００４５】
接着剤等の他の技法を使用して研磨物品４を変換パッド８に取り付けてもよい、ということが理解されよう。図７ａおよび図７ｂに示すように、たとえば、取付領域２０は接着剤を含んでもよく、非取付領域２２は非接着領域を含んでもよい。適当な接着剤は、ミネソタ州セントポールの３Ｍカンパニー（３Ｍ  Ｃｏｍｐａｎｙ（Ｓｔ．Ｐａｕｌ，ＭＮ））から販売されているポストイット（Ｐｏｓｔ−Ｉｔ）（登録商標）ノートブランドである。
【００４６】
変換パッド８の第１主面１４全体が最初に接着性である場合、非取付領域２２を、適当なフィルム、紙、粉末、発泡体またはインクでコーティングすることによる等、従来の処置を使用して非接着性にしてもよい。別法として、変換パッド８が、非接着性裏当てを使用し後に接着剤でコーティングされることによって形成される場合、非取付領域２２を、単純に接着剤でコーティングしないことによって非接着性にしてもよい。
【００４７】
本発明のさまざまな実施形態における非取付領域２２は、必ずしもではないが、研磨物品４と変換パッド８との間の取付を完全になくす、ということが理解されよう。むしろ、非取付領域２２は、研磨物品４と変換パッド８との間の取付けを、使用者が非取付領域２２において変換パッド８から研磨物品４を容易に分離することができるために十分な程度まで抑制するだけでよく、そのため使用者は、研磨物品４を掴持して、変換パッド８の取付領域２０から研磨物品４を取り外すことができる。
【００４８】
本発明の一態様では、非取付領域２２と関連嵌合面２８との間に形成される接続は、取付領域２２と関連嵌合面２８との間に形成される接続より弱い。すなわち、研磨物品４を変換パッド８から分離するために必要な力は、取付領域２０におけるよりも非取付領域２２における方が弱い。取外しを容易にするために、研磨物品４は、非取付領域において変換パッド８に取り付けられていないことが好ましく、または単に緩く取り付けられており、それにより、使用者は、研磨物品４の縁部分を変換パッド８から容易に分離することができる。そして、分離された縁部分は、使用者がしっかりと掴持することができ、取付領域２２を関連嵌合面２８から分離する剥離力を生成する開始点としての役割を果たす。
【００４９】
図８は、図１および図２に示す変換パッド８から研磨物品４を取り外すことを示す。図示するように、非取付領域２２を含む、変換パッド８の環状円周縁部分にオーバラップする研磨物品４は、非取付領域２２に取り付けられておらず、または単に緩く取り付けられており、それにより、使用者が、自身の手３８を用いて研磨物品４の円周に沿った任意の箇所において研磨物品４の縁部分を掴持することができるようにする。そして、使用者は、取付領域２０から研磨物品４を剥離することにより、研磨物品４を変換パッド８から完全に分離することができる。このように、取付領域２２は、使用者が容易に研磨物品４を掴持し研磨物品４を変換パッド８から分離することができるようにするプルタブを提供することにより、研磨物品４の変換パッド８からの分離を容易にする。
【００５０】
図９ａおよび図９ｂは、変換パッド８の代りに研磨物品１０４に取付システム１１８が設けられる、本発明の別の実施形態を示す。図９ａおよび図９ｂにおいて、図１乃至図８の特徴に機能的に類似する機能を、１００だけ増分した同様の参照数字で参照する。研磨物品１０４の第１主面１４０は、内部取付領域１２０と、環状周縁非取付領域１２２と、を含む。取付領域１２０は、研磨物品１０４を変換パッド８に取外し可能に接続するための取付材１２４を含む。図示する実施形態では、取付材１２４は、ループタイプファブリック１２９を備える。しかしながら、取付材２４および関連嵌合面２８に関して上述したもののような他の取付材を使用してもよい。取付領域１２０は接着剤を含んでもよく、かつ非取付領域１２２は非接着領域を含んでもよい、ということが理解されよう。適当な接着剤は、ミネソタ州セントポールの３Ｍカンパニー（３Ｍ  Ｃｏｍｐａｎｙ（Ｓｔ．Ｐａｕｌ，ＭＮ））から販売されているポストイット（Ｐｏｓｔ−Ｉｔ）（登録商標）ノートブランドである。
【００５１】
非取付領域１２２領域は、第１主面１４０の全周縁にわたって延在する環状領域を含む。非取付領域１２２は、変換パッド８の非取付領域２２で上述したような方法で、非取付領域１２２が変換パッドの関連嵌合面に付着するのを抑制するように、覆われ、コーティングされ、または他の方法で変更された取付材１２４を含んでもよい。別法として、非取付領域１２２を、単純に取付材１２４なしに非取付領域１２２を形成することにより、または研磨物品１０４の第１主面１４０の選択された１つまたは複数の領域から取付領域１２４を除去することにより、作成してもよい。
【００５２】
上述した発明の概念から逸脱することなく、さまざまな変形および変更を行ってもよい、ということが当業者には明らかとなろう。たとえば、研磨物品および変換パッドは、正方形、三角形、矩形、長円形、五角形、六角形、八角形等を含む種々のサイズおよび形状であってもよい。さらに、変換パッドに設けられるように上述した取付システムの任意のものを、研磨物品に設けてもよい、ということが理解されよう。すなわち、取付システム１８および関連嵌合面２８の構成を反対にしてもよい。このため、本発明の範囲は、この出願に記載されている構造に限定されるべきではなく、特許請求の範囲およびそれら構造の等価物の文言によって記載されている構造によってのみ限定されるべきである。
【図面の簡単な説明】
【００５３】
【図１】本発明による取付システムを使用してバックアップパッドに取り付けられる研磨物品の組立分解図である。
【図２】図１の変換パッドの断面図である。
【図３ａ】本発明の第２実施形態の平面図である。
【図３ｂ】本発明の第３実施形態の平面図である。
【図４ａ】本発明の第４実施形態の平面図である。
【図４ｂ】図４ａの線４ｂ−４ｂに沿った断面図である。
【図５ａ】本発明の第５実施形態の平面図である。
【図５ｂ】図５ａの線５ｂ−５ｂに沿った断面図である。
【図６ａ】本発明の第６実施形態の平面図である。
【図６ｂ】図６ａの線６ｂ−６ｂに沿った断面図である。
【図７ａ】本発明の第７実施形態の平面図である。
【図７ｂ】図７ａの線７ｂ−７ｂに沿った断面図である。
【図８】図２の変換パッドから取り外されている研磨物品を示す断面図である。
【図９ａ】本発明の第８実施形態の平面図である。
【図９ｂ】図９ａの線９ｂ−９ｂに沿った断面図である。
【図１】
2007532329.tif 000003
【図２】
2007532329.tif 000004
【図３ａ】
2007532329.tif 000005
【図３ｂ】
2007532329.tif 000006
【図４ａ】
2007532329.tif 000007
【図４ｂ】
2007532329.tif 000008
【図５ａ】
2007532329.tif 000009
【図５ｂ】
2007532329.tif 000010
【図６ａ】
2007532329.tif 000011
【図６ｂ】
2007532329.tif 000012
【図７ａ】
2007532329.tif 000013
【図７ｂ】
2007532329.tif 000014
【図８】
2007532329.tif 000015
【図９ａ】
2007532329.tif 000016
【図９ｂ】
2007532329.tif 000017
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
研磨物品をサンディングツールのバックアップパッドに取り付けるための変換パッド（８）であって、第１主面（１４、１４０）を備えた取付システム（１８、１１８）を有し、該第１主面（１４、１４０）が、該研磨物品（４）の関連嵌合面（２８）に付着する取付材（２４、１２４）を有する取付領域（２０、１２０）と、該取付領域（２０、１２０）と該関連嵌合面（２８）との間の取付けより弱い、該関連嵌合面（２８）との取付けを形成する、該第１主面（１４、１４０）の縁の少なくとも一部に沿った非取付領域（２２、１２２）と、を有し、それにより、使用者が、該非取付領域（２２、１２２）に隣接した該研磨物品（４）の一部を掴持し、それにより該第１主面（１４、１４０）から該研磨物品（４）を分離することができる、変換パッド。
【請求項２】
前記取付システム（１８、１１８）が前記変換パッド（８）の第１主面を備え、該変換パッド（８）が、前記サンディングツールに係合するように構成された、前記第１主面（１４）の反対側の第２主面（１６）を有する、請求項１に記載の変換パッド。
【請求項３】
前記関連嵌合面（２８）が、前記研磨物品（４）の第１主面を含み、該研磨物品（４）が、加工物表面を研磨する研磨材を含む、該第１主面の反対側の第２主面を有する、請求項１〜３のいずれか一項に記載の変換パッド。
【請求項４】
前記取付領域（２０、１２０）が、前記第１主面（１４、１４０）の中心に位置する領域を含み、前記非取付領域（２２、１２２）が、該第１主面（１４、１４０）の全周縁にわたって延在する連続縁領域を含む、請求項１〜３のいずれか一項に記載の変換パッド。
【請求項５】
前記取付領域（２０、１２０）が、複数の機械的締結要素（２６）を備える、請求項１〜４のいずれか一項に記載の変換パッド。
【請求項６】
前記機械的締結要素（２６）が、フックタイプ締結要素を含む、請求項５に記載の変換パッド。
【請求項７】
前記取付領域（２０、１２０）が、前記第１主面（１４、１４０）の大部分を覆う円形領域であり、前記非取付領域（２２、１２２）が、該第１主面（１４、１４０）の全周縁にわたって延在する環状領域を含む、請求項４〜６のいずれか一項に記載の変換パッド。
【請求項８】
前記非取付領域（２２）が、締結要素（２６）が前記関連嵌合面（２８）に付着するのを抑制するように変更された締結要素（２６）を含む、請求項１〜７のいずれか一項に記載の変換パッド。
【請求項９】
前記締結要素（２６）が、該締結要素（２６）が前記関連嵌合面（２８）に付着しないように屈曲されている、請求項８に記載の変換パッド。
【請求項１０】
前記非取付領域（２２、１２２）が、前記締結要素（２６）が関連嵌合面（２８）に付着するのを抑制するように該締結要素（２６）に塗布されるコーティング材を含む、請求項８に記載の変換パッド。
【請求項１１】
前記コーティング材が、前記締結要素（２６）の末端（３２）に塗布されるシート状の材料（３０）であり、それにより、前記締結要素（２６）を覆い、該締結要素（２６）が関連取付面（２８）に付着しないようにする、請求項１０に記載の変換パッド。
【請求項１２】
前記コーティング材が、前記締結要素（２６）の周囲の開放空間を充填するように塗布される硬化可能液体（３４）であり、それにより、前記締結要素（２６）が関連取付面（２８）に付着しないようにする、請求項１０に記載の変換パッド。
【請求項１３】
前記非取付領域（２２、１２２）には取付材がない、請求項１〜７のいずれか一項に記載の変換パッド。
【請求項１４】
前記取付領域（２０、１２０）と前記非取付領域（２２、１２２）とが同一平面上にある、請求項１〜１３のいずれか一項に記載の変換パッド。
【請求項１５】
前記変換パッド（８）と前記研磨物品（４）とが、実質的に同じ輪郭を有し、かつ位置合せされる外縁を有する、請求項１〜１４のいずれか一項に記載の変換パッド。
【請求項１６】
前記取付材（２４）が接着剤を含む、請求項１〜４のいずれか一項に記載の変換パッド。
【請求項１７】
研磨物品をバックアップパッドに取り付けるための変換パッド（８）であって、第１主面（１６）と反対側の第２主面（１４、１４０）とを有するパッドを備え、該第１主面（１６）が該バックアップパッドに係合するように構成され、該第２主面（１４、１４０）が、当該変換パッド（８）を該研磨物品（４）に取り付ける取付材（２４）を含む取付面（２０、１２０）と、該第２面（１４）の縁領域の少なくとも一部に沿った非取付面（２２、１２２）と、を含み、それにより、使用者が、該研磨物品（４）を掴持しかつ該研磨物品（４）を当該変換パッド（８）から分離することができるようにする、変換パッド。
【請求項１８】
前記非取付領域（２２、１２２）が、前記第２主面（１４）の全周縁に沿って延在する連続縁領域を備える、請求項１７に記載の変換パッド。
【請求項１９】
前記取付面（２０、１２０）が、複数の機械的締結要素（２６）を備える、請求項１７または１８に記載の変換パッド。
【請求項２０】
前記機械的締結要素（２６）が、フックタイプ締結要素を含む、請求項１９に記載の変換パッド。
【請求項２１】
前記変換パッド（８）が円形であり、前記非取付領域（２２、１２２）が、前記第２面（１４、１１４）の全周縁に沿って延在する環状領域を含む、請求項１７〜１９のいずれか一項に記載の変換パッド。
【請求項２２】
前記非取付領域（２２、１２２）が、当該変換パッド（８）が前記研磨パッド（４）に付着するのを抑制するように変更された締結要素（２６）を含む、請求項１７〜２１のいずれか一項に記載の変換パッド。
【請求項２３】
当該変換パッドと前記研磨物品とが、実質的に同じ輪郭を有し、かつ位置合せされた外縁を有する、請求項１７〜２２のいずれか一項に記載の変換パッド。
【請求項２４】
バックアップパッド（６）と、該バックアップパッド（６）に接続される変換パッド（８）と、該変換パッド（８）に接続される研磨物品（４）と、を含む研磨ツールであって、該バックアップパッド（６）、該変換パッド（８）および該研磨物品（４）が、実質的に同じ輪郭を有し、かつ位置合せされる外縁を有し、さらに、該変換パッド（８）が、第１主面（１６）と反対側の第２主面（１４、１４０）とを備え、該第２主面（１４、１４０）が、該変換パッド（８）を該研磨物品（４）に取り付ける取付材（２４、１２４）を含む取付領域（２０、１２０）と、該第２面（１４）の縁領域の少なくとも一部に沿った非取付領域（２１、１２２）と、を含み、それにより、使用者が、該研磨物品（４）を掴持し、それにより該研磨物品（４）を該変換パッド（８）から分離することができるようにする、研磨ツール。
【請求項２５】
前記バックアップパッド（６）、前記変換パッド（８）および前記研磨物品（４）が円形である、請求項２４に記載の研磨ツール。
【国際調査報告】
2007532329.tif 000018
2007532329.tif 000019
2007532329.tif 000020